(57)【特許請求の範囲】
【請求項１】
ごみ収容部とごみ収容部にごみを出し入れする搬入搬出口を備えたごみ集積ボックスであって、屋根と、屋根の前後位置に配設された左右方向に伸びる第一の水平雨樋と、第一の水平雨樋の下方に配設され、第一の水平雨樋の排水口から流出する雨水が流れ込む前後方向に伸びる第二の水平雨樋と、第二の水平雨樋の排水口に上端が連結された垂直雨樋と、垂直雨樋の下端が連結される貯水槽と、貯水槽内に貯まった雨水を取り出す取水口を備えたことを特徴とするごみ集積ボックス。
【発明の詳細な説明】
【０００１】
【発明の属する技術分野】
この発明は、自治体、公園あるいは事業所等のごみ収集場所に設置され、家庭、事業所などから排出されるごみを一時的に集積するごみ集積ボックスに関するものである。
【０００２】
【従来の技術】
ゴミ収集場所に出されたごみ袋等を鳥獣類あるいは風雨等から保護し、内容物の散乱を防止するため、金属等により形成されたごみ集積ボックスがごみ収集場所に据置されている。
これらごみ集積ボックスとしては、側面パネルにより区画形成されたごみ収容部を形成し、ごみ収容部の前面にごみの搬入搬出口を備え、上部には雨除けの屋根を設けたものが知られている。
【０００３】
通常ごみは袋等に封入されてごみ集積ボックス内に搬入されるが、多量のごみ袋が搬入されたり、多量のごみを詰め込んだごみ袋を搬入した場合には、ごみ袋が破裂して袋内のごみが散乱し、ごみ収容部の汚れや悪臭の原因となるため、定期的にごみ集積ボックス内を洗浄清掃する必要があった。
【０００４】
【発明が解決しようとする課題】
ごみ集積ボックスの清掃作業において、水道設備が隣設している場合には比較的簡単に水道水を利用して洗浄を行い得るが、現実には殆どのごみ集積ボックスの設置場所に水道設備が設けられておらず、清掃作業の際にバケツ等に入れた水を持ち運ばなければならず、清掃作業に多大な労力を要するものであった。
【０００５】
本発明の目的とするところは、水道設備の工事等を必要とすることなく、ごみ集積ボックスの清掃作業を簡単に行うことができ、社会的にも要求されている雨水を有効利用したごみ集積ボックスを提供することにある。
【０００６】
【課題を解決するための手段】
本発明者等はこのような事情に鑑み鋭意検討を重ねた結果、屋根と、屋根の前後位置に配設された左右方向に伸びる第一の水平雨樋と、第一の水平雨樋の下方に配設され、第一の水平雨樋の排水口から流出する雨水が流れ込む前後方向に伸びる第二の水平雨樋と、第二の水平雨樋の排水口に上端が連結された垂直雨樋と、垂直雨樋の下端が連結される貯水槽と、貯水槽内に貯まった雨水を取り出す取水口をごみ集積ボックスに設けたことにより、所期の目的を達成しうることを認め本発明を完成するに至った。
【０００７】
【作用】
この発明によれば、ごみ集積ボックスの屋根に降った雨水を貯水槽に溜めておき、ごみ収容部を清掃する際に取水口から取り出した雨水を利用してごみ集積ボックスを清掃することができるので、清掃作業者が水を持ち運んでくる必要がなく、清掃作業が簡単に行い得るものである。また、屋根の前後位置に第一の水平雨樋を配設し、第一の水平雨樋の下方に第二の水平雨樋を配設し、第二の水平雨樋の排水口に上端を連結した垂直雨樋の下端を貯水槽に連結したので、屋根に降り注いだ雨水を効率良く貯水槽に取り込むことができる。
【０００８】
【発明の実施の形態】
発明の実施の形態を実施例に基づき詳細に説明する。
図中１は本発明ごみ集積ボックスであり、ごみ集積ボックス１はごみ収容部２を区画形成する側面パネル３と、ごみ収容部２の前面に設けられたごみ袋を出し入れする搬入搬出口４と、ごみ集積ボックス１の上部に設けられた屋根５とから形成されている。
【０００９】
側面パネル３は、金属線材を格子状に配設して縦横線材の交差部を溶接したパネル体により形成され、側壁パネル３は集積ボックス１の四隅に立設された４本の支柱６の間に配設されている。
搬入搬出口４は引戸の構造を呈しており、前側に位置する支柱６，６の間に一対の引戸パネル４１，４１が配設され、引戸パネル４１を開閉してごみ収容部２内のごみ袋の出し入れを行う。
【００１０】
支柱６の上端には屋根５が架設されており、屋根５は前後方向に湾曲した形態を有し、屋根５に降った雨水が流れ込む雨樋７が設けられている。雨樋７は屋根５の前後位置に配設された左右方向に伸びる第一の水平雨樋７１、７１と、第一の水平雨樋７１の下方に配設され、第一の雨樋７１の排水口７２から流出する雨水が流れ込む前後方向に伸びる第二の水平雨樋７３と、第二の水平雨樋７３の排水口７４に上端が連結された垂直雨樋７５とから構成されている。
【００１１】
垂直雨樋７５の下端はごみ収容部２内の隅部に設置された貯水槽８に連結され、屋根５に降った雨水は雨樋７の中を流れて貯水槽８内に流入する。貯水槽８はステンレス製の金属パネルにより形成されており、必要に応じて垂直雨樋７５と貯水層８の連結部分に異物を取り除くフィルターを設けても構わない。貯水層８の下部には取水口９が設けられており、取水口９としては一般的に用いられる蛇口等が利用される。さらに、貯水槽８の上端には、貯水槽８内が満水になった状態でオーバーフローする雨水を排水する排水管１０が設けられている。
【００１２】
以上の構成からなる本発明ごみ集積ボックス１によれば、屋根５に降った雨水は先ず第一の水平雨樋７１内に流れ込み、第一の水平雨樋７１の排水口７２を通って第二の水平雨樋７３に流入する。第二の水平雨樋７３の排水口７４から出た雨水は、垂直雨樋７５を通って貯水槽８内に流れ込み貯水される。貯水槽８が満水となった場合には、貯水槽８内に流れ込む雨水は排水管１０を通ってオーバーフローする。
ごみ集積ボックス１を清掃する際には、貯水槽８内の雨水を取水口９から取り出して使用する。
【００１３】
なお、上記実施例において貯水槽８はごみ収容部２内に設けたが、ごみ収容部２の容積を最大限に確保するために外側に設けても構わない。貯水槽８をごみ収容部２内に設ける際には、ごみ収容部２のごみ収容能力になるべく影響を与えないように縦長の形状のものを用いたほうが好ましい。また、貯水槽８を設ける位置は、路面に水切り勾配がある場合、高位置側に設けたほうが清掃の際にごみ収容部２内全体に水が行き渡るので好適である。
【００１４】
さらに上記実施例において、屋根５の形状を円弧状としたが、平坦な陸屋根、切妻風の三角屋根等種々の形態のものが使用できる。また、搬入搬出口４も引戸を使用したが、回転式のドア等でも差し支えなく、側面パネル３も金属線材を格子状に枠組したもののほか、金属あるいは樹脂等の薄板パネルを用いるなど種々の形態のものが使用できる。
【００１５】
因みに、気象庁年表による平成６年度の全国主要都市月平均降雨量は９３．５ｍｍであり、屋根面積が４ｍ２のごみ集積ボックスにおいて降雨量の７０％が貯水できるとすれば、月平均約２６０リットルの雨水が貯水可能である。床面積４ｍ２のごみ収容部を清掃するのに１回当たり４０リットルの雨水を利用するとすれば、約２００リットルの雨水が貯水できれば良く、貯水槽８は直方体で幅１００ｃｍ、高さ１００ｃｍ、奥行き２０ｃｍ程度の大きさで足りると思われる。
【００１６】
【発明の効果】
この発明は、ごみ集積ボックスの屋根に降った雨水を貯水槽に貯水し、ごみ集積ボックスを清掃する際に貯水した雨水を利用できるので、清掃に使用する水を持ち運ぶ必要がなく、清掃作業を簡単に実施することができる。
【図面の簡単な説明】
【図１】本発明ごみ集積ボックスを表わす斜視図
【図２】本発明ごみ集積ボックスを正面から見た状態を表わす中央断面図
【図３】本発明ごみ集積ボックスを側面から見た状態を表わす断面図
【図４】図３のＡ部分を表わす拡大図
【符号の説明】
１    ゴミ集積ボックス
２    ゴミ収容部
４    支柱
５    屋根
７    雨樋
８    貯水槽
９    取水口
７１    第一の水平雨樋
７２    排水口（第一の水平雨樋）
７３    第二の水平雨樋
７４    排水口（第二の水平雨樋）
７５    垂直雨樋
【図１】
0003623428.tif 000002
【図２】
0003623428.tif 000003
【図３】
0003623428.tif 000004
【図４】
0003623428.tif 000005